(57)【要約】      （修正有）【課題】搬送する物体に合わせて１個ずつ保持して、外部からの衝撃や振動による損傷を防止し、特に表皮が脆弱で果肉が軟弱な果実の長距離輸送に好適な輸送用緩衝容器を提供する。【解決手段】複数個の収納凹部３を一連に形成し、ここに蓋部が開閉自在に設けられている硬質プラスチック製の透明パック５の前記収納凹部３内にゲル状物質６であるアガーを緩衝材として充填し、イチゴ７を紙８に包んでゲル状物質６内に埋設して保持するようにしたものである。【選択図】図２
0003206338.tif 000002
【実用新案登録請求の範囲】
【請求項１】
容器内にゲル状物質または吸水した高分子吸水ポリマーを緩衝材として充填し、運搬物を前記緩衝材の内側に保持するようにしたことを特徴とする輸送用緩衝容器。
【請求項２】
容器が、複数個の収納凹部を一連に形成し、ここに蓋部が開閉自在に設けられている硬質プラスチック製の透明パックで形成されていることを特徴とする請求項１記載の輸送用緩衝容器。
【請求項３】
ゲル状物質がゼラチンまたは寒天もしくはアガーからなることを特徴とする請求項１記載の輸送用緩衝容器。
【考案の詳細な説明】
【技術分野】
【０００１】
本考案は、果実やハンドメイド製品などを輸送する緩衝容器に関するものである。
【背景技術】
【０００２】
一般に果実などを輸送する場合、発泡プラスチックで形成された碗形のネットやプラスチック気泡シートに包んで輸送し、外部からの衝撃や振動を和らげて保護している。果実は詰め過ぎや隙間があると外部からの衝撃や振動により果実の傷み、表面の擦り傷、潰れなどにより細菌が侵入し劣化をはやめる原因になっていた。
【０００３】
特にイチゴなどの表皮が脆弱で果肉の軟弱なものは、外国などに長距離輸送する場合には、表皮の摩擦及び衝撃により傷みが促進されるので、その対策が問題となっていた。このため、硬質プラスチック製の透明パックにイチゴを上下二段にして詰めた二段積みパック詰めとし、下段イチゴとパック底部の間、上段イチゴと下段イチゴの間及び上記パックの対向する内壁面と上下段イチゴの間に、シート状ウレタン製緩衝材を介在させる二段積みパック詰めイチゴの傷み防止方法（特許文献１）が提案されている。
【０００４】
しかしながらこの二段積みパック詰めは上段イチゴと下段イチゴとの間には緩衝材が介在されているが、横に隣接するイチゴ同士は接触しているため、表皮の摩擦を防止することができない問題がある。
【０００５】
また箱状の容器本体と、容器本体内に装填され、イチゴ等の内容物を載置収納するための収納凹部が複数形成されたトレーと、容器本体に開閉可能に設けられた箱状の透明カバーとから成る包装容器であって、前記透明カバーの下面開口部に伸縮性フィルムシートが内容物に弾性的に接触するように張設され、伸縮性フィルムシートによる弾性的な接触圧により、イチゴ等の内容物の動きを抑止できるように構成した包装容器（特許文献２）も開発されている。
【０００６】
しかしこの包装容器も特許文献１と同様に、上下の振動は防止できるが、横に隣接するイチゴ同士は接触しているため、表皮の摩擦を防止することができない問題があった。
【先行技術文献】
【特許文献】
【０００７】
【特許文献１】特開２００４−４９２０５号公報
【特許文献２】特開２０１０−１６８０８３号公報
【考案の開示】
【考案が解決しようとする課題】
【０００８】
本考案は上記問題を改善し、搬送する物体に合わせて１個ずつ保持して、外部からの衝撃や振動による損傷を防止し、特に表皮が脆弱で果肉が軟弱な果実の長距離輸送に好適な輸送用緩衝容器を提供するものである。
【課題を解決するための手段】
【０００９】
本考案の請求項１記載の輸送用緩衝容器は、容器内にゲル状物質または吸水した高分子吸水ポリマーを緩衝材として充填し、運搬物を前記緩衝材の内側に保持するようにしたことを特徴とするものである。
【００１０】
本考案の請求項２記載の輸送用緩衝容器は、請求項１において、容器が、複数個の収納凹部を一連に形成し、ここに蓋部が開閉自在に設けられている硬質プラスチック製の透明パックで形成されていることを特徴とするものである。
【００１１】
本考案の請求項３記載の輸送用緩衝容器は、請求項１において、ゲル状物質がゼラチンまたは寒天もしくはアガーからなることを特徴とするものである。
【考案の効果】
【００１２】
本考案に係る請求項１記載の輸送用緩衝容器によれば、輸送中、例えば果実は軟質で弾力性があるゲル状物質の内側でその形状や大きさに合わせて１個ずつ保持されているので、輸送中の外部からの衝撃や振動を吸収して、果実の表面を保護することができる。特に輸送に長時間かかる外国へ輸出する果実は、粒も大きく高価であり、その鮮度を安価な容器で保持することができる。
【００１３】
また請求項２記載の輸送用緩衝容器によれば、容器が複数個の収納凹部を一連に形成し、ここに蓋部が開閉自在に設けられている硬質プラスチック製の透明パックで形成されているので、軽量で安価である。
【００１４】
また請求項３記載の輸送用緩衝容器によれば、ゲル状物質がゼラチンまたは寒天もしくはアガーなど、食品に用いることができるので、食べても安全で、しかも安価である。
【図面の簡単な説明】
【００１５】
【図１】本考案の実施の一形態による硬質プラスチック製の透明パックの収納凹部にゲル状物質を注入した状態を示す断面図である。
【図２】図１の透明パックのゲル状物質を注入した収納凹部に、イチゴの下部側を埋没させた状態を示す断面図である。
【図３】本考案の他の実施の形態によるコップに高分子吸水ポリマーを入れて、ここにモモを埋没させて保持した状態を示す断面図である。
【考案を実施するための最良の形態】
【００１６】
以下本考案の実施の一形態を図１および図２を参照して詳細に説明する。図において１は輸送用緩衝容器を示すもので、この輸送用緩衝容器１は、透明な硬質プラスチックで形成された容器本体２の内側に複数弧の収納凹部３が形成され、前記容器本体２の横に蓋部４が開閉自在に取り付けられて一体に成型された硬質プラスチック製の透明パック５である。
【００１７】
前記収納凹部３には、それぞれゲル状物質６が半分程度注入されている。このゲル状物質６としてはゼラチンまたは寒天もしくはアガーを用いる。例えばアガーを用いる場合には、粉状のアガーをお湯で溶かして各収納凹部３に注ぎ、温度が下がると半硬化した状態となる。この状態で図２に示すように、イチゴ７を紙で包んで、その開いた上部を上にしてヘタ側をゲル状物質６に押し込んで半分程度埋没させた状態に保持すると、ゲル状物質６はやや硬化した状態となり、確実に保持される。
【００１８】
このように各収納凹部３のやや硬化したゲル状物質６に紙８に包んだイチゴ７を保持させてから蓋部４を閉じて、ダンボール箱などに梱包して、目的地まで輸送する。
【００１９】
上記構成の輸送用緩衝容器１は、ダンボール箱に梱包して輸送中、イチゴ７は軟質で弾力性がある半硬貨状態のゲル状物質６の内側でその形状や大きさに合わせて保持されているので、輸送中の外部からの衝撃や振動を吸収して、イチゴ７の表面を保護することができる。したがって従来の包装容器とは異なり、イチゴ７を１個ずつ保持させるので、隣接するイチゴ７と接触せず良好に輸送することができる。またイチゴ７は紙８で包んであるので、表面から出た水分は紙８に吸収され、白濁を防止することができる
【００２０】
更にイチゴ７は保存中に呼吸しているので空気中の酸素を取り込み表面から炭酸ガスが発生し、呼吸が活発になると果実内でエチレンが発生する。このエチレン濃度が高くなるにつれて、組織内の細胞は死んで、完熟状態となり腐敗を早めるが、イチゴ７は紙８で包装され、ゲル状物質６と接触していないので、発生した炭酸ガスやエチレンが上部から放出され、イチゴ７の鮮度を維持することができる。特に輸送に長時間かかる外国へ輸出するイチゴ７は粒も大きく高価であるため、その鮮度を保持することは重要である。
【００２１】
従来の硬質プラスチックの容器に入れてマレーシア輸出したものは、約３０％程度が傷み、表面が白濁して販売できなかったが、本考案の輸送用緩衝容器１に保持させて輸出したイチゴ７は１００％損傷がなかった。なおゲル状物質６の粘度調整は、アガーの濃度を調整することにより、任意に調整することができる。また万一、イチゴ７にゲル状物質６が付着しても、アガーはゼリー菓子などに使用されているので食べても問題ない。しかも市販されている硬質プラスチック製の透明パック５を用い、安価なアガーなどのゲル状物質６を用いることにより輸送コストを安価に抑えることができる。
【００２２】
なお上記説明では、ゲル状物質６としてアガーを用いた場合について示したが、ゼラチンや寒天を用いても良い。また上記説明ではイチゴ７を紙８に包んでゲル状物質６に埋没させて場合について示したが、不織布やラップに包んでも良く、また直接、ゲル状物質６に埋没させても良い
【００２３】
図３は本考案の他の実施の形態を示すもので、コップ１０の中に予め給水させて膨らんだ状態の高分子吸水ポリマー１１を入れ、ここに紙８で包んだモモ１２の下部側を埋没させて保持したものである。
【００２４】
この保持構造ではモモ１２を１個ずつ高分子吸水ポリマー１１内に保持させ、水分を多量に含んだ粒状の高分子吸水ポリマー１１は、弾力性があるので輸送中の外部からの衝撃や振動を吸収して、イチゴ７の表面を保護することができる。また高分子吸水ポリマー１１の粒度や吸水量を調整することに弾力性を調整することができる。
【００２５】
なお上記説明ではイチゴ７とモモ１２を輸送する場合について示したが、表皮が脆弱で果肉が軟弱なサクランボや身知らず柿など他の果実の搬送に好適である、また本考案の輸送用緩衝容器１は果実などの農業生産物に限らず壊れ易いハンドメイド製品などの輸送にも好適である。
【符号の説明】
【００２６】
１    輸送用緩衝容器                                        
２    容器本体                                              
３    収納凹部                                              
４    蓋部                                                  
５    透明パック                                            
６    ゲル状物質                                            
７    イチゴ                                                
８    紙                                                    
１０  コップ                                                
１１  高分子吸水ポリマー                                    
１２  モモ                                                  
【図１】
0003206338.tif 000003
【図２】
0003206338.tif 000004
【図３】
0003206338.tif 000005